(57)【要約】【課題】２以上の出力型のインバータトランスにおいて、二次巻線の出力による冷陰極管のランプ電流を一定に保ち輝度のむらを防止し、また、インバータの回路全体の部品点数を減らしつつ小型化とコストダウンを図る。【解決手段】コイルボビン１０に挿入されたＩ型コア５０に磁気結合して巻線区間を第一の閉磁路と第二の閉磁路に分ける変形コの字型コア６０とを備え、第一の閉磁路と第二の閉磁路に分けられた巻線区間には、一次巻線と二次巻線の組み合わせがそれぞれ巻線され、第一の閉磁路内で形成される閉磁路の磁束の向きは第二の閉磁路内で形成される閉磁路の磁束の向きと逆向きに形成される。【選択図】  図１
2010157765.tif 000002
【特許請求の範囲】
【請求項１】
コイルを巻線する巻線区間が複数設けられたコイルボビンと、
前記コイルボビンに挿入されたＩ型コアと、
前記Ｉ型コアに磁気結合してこの巻線区間を複数の閉磁路に分けるように、１つ以上の中央脚部を有する変形コの字型コアとを備え、
前記各閉磁路は、隣接する他の閉磁路と互いにその一部を前記変形コの字型コアの中央脚部において共有しており、
前記変形コの字型コアの中央脚部の断面積は、該変形コの字型コアの他の部分および前記Ｉ型コアの断面積の約２倍であり、
各閉磁路内の巻線区間には、一次巻線と二次巻線の組がそれぞれ巻線され、
任意の１つの閉磁路の磁束の向きはこの任意の閉磁路と隣り合う閉磁路の磁束の向きと逆向きに形成される、
ことを特徴とするインバータトランス。
【請求項２】
前記コイルボビンは、中間部に該コイルボビンの一部を切り欠いた空間部を１個以上有し、この空間部から露出した前記Ｉ型コアに、前記変形コの字型コアの中央脚部が磁気結合される、ことを特徴とする請求項１に記載のインバータトランス。
【請求項３】
コイルを巻線する巻線区間がそれぞれ複数設けられた第一および第二のコイルボビンと、
前記第一および第二のコイルボビンにそれぞれ挿入された第一および第二のＩ型コアと、
Ｈ型コアの中央平板部の両側に、このＨ型コアの端平板部に平行に延出する２つ１組の中央磁脚部を１組以上追加した変形Ｈ型コアとを備え、
前記第一のＩ型コアと前記変形Ｈ型コアの磁気結合により、前記第一のコイルボビンの巻線区間が複数の閉磁路に分けられ、
前記第二のＩ型コアと前記変形Ｈ型コアの磁気結合により、前記第二のコイルボビンの巻線区間が複数の閉磁路に分けられ、
前記各閉磁路は、隣接する他の閉磁路と互いにその一部を前記変形コの字型コアの中央磁脚部および中央平板部において共有しており、
前記変形Ｈ型コアの中央磁脚部および中央平板部の断面積は、該変形Ｈ型コアの他の部分および前記第一および第二のＩ型コアの断面積の約２倍であり、
各閉磁路内の巻線区間には、一次巻線と二次巻線の組がそれぞれ巻線され、
任意の１つの閉磁路の磁束の向きはこの任意の閉磁路と隣り合う閉磁路の磁束の向きと逆向きに形成される、
ことを特徴とするインバータトランス。
【請求項４】
前記第一および第二のコイルボビンは、それぞれ中間部に該コイルボビンの一部を切り欠いた空間部を１個以上有し、この空間部から露出した前記第一および第二のＩ型コアに、前記変形Ｈ型コアの中央磁脚部が磁気結合される、ことを特徴とする請求項３に記載のインバータトランス。
【発明の詳細な説明】
【技術分野】
【０００１】
本発明は、液晶表示装置のバックライト用の冷陰極蛍光管を点灯するためなどに用いられるインバータトランスの構造に関する。
【背景技術】
【０００２】
液晶テレビや液晶ディスプレイ装置などのバックライトには、複数本の冷陰極管が使用されている。この冷陰極管が、液晶テレビや液晶ディスプレイの背面に適当な間隔で配置され画面全体の輝度を保っている。複数本の冷陰極管を点灯させたときに、各冷陰極管の輝度のバラツキを抑え、むらのない照明を実現するためには、個々の冷陰極管のランプ電流を一定に保つ必要がある。
【０００３】
１本の冷陰極管を１個のトランスで独立に駆動すれば、輝度のバラツキを抑えることは容易であるが、駆動回路が複雑化する。そこで２本の冷陰極管を１個のトランスで駆動するようにして、インバータの回路全体の部品点数を減らし、小型化及びコストダウンが考えられている。
【０００４】
例えば特許文献１では、Ｃ字型コアを突き合わせてＯ字型の外方磁路を形成し、この両Ｃ字型コアの中央内周壁に同一のギャップを形成して配置したＩ字型コアと、このＩ字型コアの中央に設けた一次巻線と、この一次巻線の両側に振り分けた一対の二次巻線とで構成されている。
【０００５】
また、特許文献２では、ボビンの両端にそれぞれ端部ブロックが、また中間部に間隔をおいて２個の中間ブロックが設けられ、中央の２個の中間ブロックの間に一次巻線を巻線し、その両側の中間ブロックと端部ブロックの間にはサブフランジによって仕切られた領域を有しここに同一の巻線構造の二次巻線を巻線している。またボビンの端部ブロックには二次巻線の引き出し溝や、中間ブロックには一次巻線を通す経路を確保する突起を設けている。
【先行技術文献】
【特許文献】
【０００６】
【特許文献１】実開平７−２２５２８号公報
【特許文献２】特開２００６−１６５０６３号公報
【発明の概要】
【発明が解決しようとする課題】
【０００７】
しかしながら、特許文献１では一次巻線を接続する端子板が一次巻線の片側に設けられボビン自体が非対称な形状になっているため、一対の二次巻線を均等かつ対称に巻線することは難しく、一次巻線に通電すると一つの閉磁路に沿って２つの二次巻線のインダクタンスには偏差が生じ易く、誘起される電圧にバラツキが発生し、そのためこれに接続された２つの冷陰極ランプの輝度にバラツキが発生し易い問題があった。
【０００８】
また、一次巻線と二次巻線との距離を十分確保することができないため、２つある二次巻線の内どちらか一方が高電圧不良で不具合になった場合に、一次巻線が高電圧状態になり、全ての巻線が高電圧の不具合になる可能性があった。
【０００９】
これに対し、特許文献２では、ボビンが左右対称に構成されていると共に、巻線の位置が定まり、巻き乱れを防止できるため、二次巻線のインダクタンスのバラツキを抑えることができる。しかしながら、特許文献２においても、一次巻線と二次巻線との距離を十分確保することができないため、２つある二次巻線のうち、どちらか一方が高電圧不良で不具合になった場合に、全ての巻線が高電圧の不具合になる可能性があった。
【００１０】
また、特許文献１および特許文献２では、１つの一次巻線と２つの二次巻線に対して１つの磁気回路を形成しているため、２つの出力を個別に制御することができず、例えば冷陰極管自体にバラツキがある場合には２つの冷陰極ランプの輝度のバラツキを十分に抑えることができない問題があった。
【００１１】
本発明の主たる目的は、２以上の出力型のインバータトランスにおいて、二次巻線の出力による冷陰極管のランプ電流を一定に保ち輝度のむらを防止し、また、インバータの回路全体の部品点数を減らしつつ小型化とコストダウンを図り、さらに二次巻線のうち一方が高電圧状態になっても他方の二次巻線が動作できるようにすることにある。
【課題を解決するための手段】
【００１２】
本発明のインバータトランスは、コイルが巻線される第一コアに磁気結合しながら第二コアにより漏洩磁路を有しない複数の閉磁路が形成され、各閉磁路の巻線区間には、一次巻線と二次巻線の組がそれぞれ巻線され、任意の１つの閉磁路の磁束の向きはこの任意の閉磁路と隣り合う閉磁路の磁束の向きと逆向きに形成されることを特徴とするものである。
これにより、一つのインバータトランスにおいて、複数の隣り合う閉磁路が相殺されることなく独立して各トランスを駆動することができるため、二次巻線の出力によるランプ電流を一定に保ちつつ冷陰極ランプの輝度のバラツキを少なくすることができると共に、インバータの回路全体の部品点数を減らすことができる。
【００１３】
また、上記本発明のインバータトランスにおいては、前記各閉磁路は、隣接する他の閉磁路と互いにその一部を共有していることが好ましい。
これにより、閉磁路を構成するコアを小型化できる。
【００１４】
また、上記本発明のインバータトランスにおいては、前記第一コアおよび前記第二コアにおいて、前記閉磁路の共有部分に対応する部分の断面積は、それ以外の部分の断面積の約２倍であることが好ましい。
これにより、コアの小型化を図りつつ閉磁路に流れる磁束の飽和をなくすことができる。
【００１５】
本発明の別のインバータトランスは、コイルを巻線する巻線区間が複数設けられたコイルボビンと、前記コイルボビンに挿入されたＩ型コアと、前記Ｉ型コアに磁気結合してこの巻線区間を複数の閉磁路に分けるように、１つ以上の中央脚部を有する変形コの字型コアとを備え、前記各閉磁路は、隣接する他の閉磁路と互いにその一部を前記変形コの字型コアの中央脚部において共有しており、各閉磁路内の巻線区間には、一次巻線と二次巻線の組がそれぞれ巻線され、任意の１つの閉磁路の磁束の向きはこの任意の閉磁路と隣り合う閉磁路の磁束の向きと逆向きに形成されることを特徴とするものである。
これにより、Ｉ型コアに巻線されたコイルに変形コの字型コアが磁気結合され、複数の独立した閉磁路が構成でき、独立して各トランスを駆動することができるため、二次巻線の出力によるランプ電流を一定に保ちつつ冷陰極ランプの輝度のバラツキを少なくすることができると共に、インバータの回路全体の部品点数を減らすことができる。
【００１６】
また、上記本発明のインバータトランスにおいては、前記コイルボビンは、中間部に該コイルボビンの一部を切り欠いた空間部を１個以上有し、この空間部から露出した前記Ｉ型コアに、前記変形コの字型コアの中央脚部が磁気結合される、ことが好ましい。
これにより、いずれかの二次巻線が高電圧不良でこれと組にある一次巻線が高電圧不良になった場合でも、他の一次巻線と二次巻線の組が高電圧不良になることを防ぐことができ、より信頼性の高いインバータトランスが得られる。
また、上記本発明のインバータトランスにおいては、前記変形コの字型コアの中央脚部の断面積は、該変形コの字型コアの他の部分および前記Ｉ型コアの断面積の約２倍であることが好ましい。
これにより、コアの小型化を図りつつ閉磁路に流れる磁束が飽和することがなく磁路を形成できる。
【００１７】
本発明のさらに別のインバータトランスは、コイルを巻線する巻線区間がそれぞれ複数設けられた第一および第二のコイルボビンと、前記第一および第二のコイルボビンにそれぞれ挿入された第一および第二のＩ型コアと、Ｈ型コアの中央平板部の両側に、このＨ型コアの端平板部に平行に延出する２つ１組の中央磁脚部を１組以上追加した変形Ｈ型コアとを備え、前記第一のＩ型コアと前記変形Ｈ型コアの磁気結合により、前記第一のコイルボビンの巻線区間が複数の閉磁路に分けられ、前記第二のＩ型コアと前記変形Ｈ型コアの磁気結合により、前記第二のコイルボビンの巻線区間が複数の閉磁路に分けられ、前記各閉磁路は、隣接する他の閉磁路と互いにその一部を前記変形コの字型コアの中央磁脚部および中央平板部において共有しており、各閉磁路内の巻線区間には、一次巻線と二次巻線の組がそれぞれ巻線され、任意の１つの閉磁路の磁束の向きはこの任意の閉磁路と隣り合う閉磁路の磁束の向きと逆向きに形成されることを特徴とするものである。
これにより、Ｉ型コアに巻線されたコイルに変形Ｈ型コアが磁気結合され、複数の独立した閉磁路が構成でき、独立して各トランスを駆動することができるため、二次巻線の出力によるランプ電流を一定に保ちつつ冷陰極ランプの輝度のバラツキを少なくすることができると共に、インバータの回路全体の部品点数を減らしさらなる小型化及びコストダウンができる。
【００１８】
また、上記本発明のインバータトランスにおいては、前記第一および第二のコイルボビンは、それぞれ中間部に該コイルボビンの一部を切り欠いた空間部を１個以上有し、この空間部から露出した前記第一および第二のＩ型コアに、前記変形Ｈ型コアの中央磁脚部が磁気結合される、ことが好ましい。
これにより、いずれかの二次巻線が高電圧不良でこれと組にある一次巻線が高電圧不良になった場合でも、他の一次巻線と二次巻線の組が高電圧不良になることを防ぐことができ、より信頼性の高いインバータトランスが得られる。
また、上記本発明のインバータトランスにおいては、前記変形Ｈ型コアの中央磁脚部および中央平板部の断面積は、該変形Ｈ型コアの他の部分および前記第一および第二のＩ型コアの断面積の約２倍であることが好ましい。
これにより、コアの小型化を図りつつ閉磁路に流れる磁束が飽和することがなく磁路を形成できる。
【発明の効果】
【００１９】
本発明のインバータトランスによれば、複数の二次巻線の出力による複数の冷陰極管のランプ電流を一定に保ち輝度のむらを防止することができる。また、インバータの回路全体の部品点数を減らしつつ小型化とコストダウンを図り、さらには、いずれかの二次巻線が高電圧不良でこれと組にある一次巻線が高電圧不良になった場合でも、他の一次巻線と二次巻線の組が高電圧不良になることを防ぐことができる。
【図面の簡単な説明】
【００２０】
【図１】本発明の第１の実施形態にかかるインバータトランスの分解組立斜視図である。
【図２】本発明の第１の実施形態にかかるインバータトランスの完成斜視図である。
【図３】本発明の第１の実施形態にかかるコイルを巻線したコイルボビンの平面図である。
【図４】本発明の第１の実施形態にかかるコイルを巻線したコイルボビンの側面図である。
【図５】本発明の第１の実施形態にかかるコイルを巻線したコイルボビンの背面図である。
【図６】本発明の第１の実施形態にかかる変形コの字型コアの斜視図である。
【図７】本発明の第１の実施形態にかかるインバータトランスの磁気構成図である。
【図８】本発明の第２の実施形態にかかるインバータトランスの磁気構成図である。
【図９】本発明の第３の実施形態にかかるインバータトランスの磁気構成図である。
【図１０】本発明の第４の実施形態にかかるインバータトランスの磁気構成図である。
【発明を実施するための形態】
【００２１】
以下、図面に示す本発明を実施するための最良の形態により、本発明を詳細に説明する。
【００２２】
（第１の実施形態例）
図１は本発明の第１の実施形態にかかるインバータトランス１の分解組立斜視図である。図２は図１の完成したインバータトランス１の斜視図である。図３は、図１のコイルボビン１０にコイルを巻線した平面図である。図４は、図１のコイルボビン１０にコイルを巻線した側面図である。図５は、図１のコイルボビン１０にコイルを巻線した背面図である。図６は、図１の変形コの字型コアの斜視図である。図７は、図１のインバータトランス１の磁気構成図である。
【００２３】
図１ないし図７において、このインバータトランス１は、コイルを巻線するコイルボビン１０と、このコイルボビン１０に挿入されるＩ型コア５０と、このＩ型コア５０に磁気結合してコイルボビン１０の外側より取り付けられる変形コの字型コア６０と、このコイルボビン１０を保護するカバー７０とを備えている。
【００２４】
コイルボビン１０は、長手方向に開口を有する四角形状の中空部１１と、中空部１１の外縁の両端にそれぞれ設けられた端部ブロック１２と、端部ブロック１２の中間部に間隔をおいて設けられた２個の中間ブロック１３と、２つの中間ブロック１３の間にコイルボビン１０の一部を切り欠いた空間部１９と、コイルボビン１０の長手方向に外向き突出した出力端子接続部１４と、２個の中間ブロックの間に長手方向と垂直の向きに外向きに突出した入力端子接続部１５と、端部ブロック１２と中間ブロック１３の間に巻回される一次巻線１６と二次巻線１７とを備える。
【００２５】
またコイルボビン１０は、端部ブロック１２と中間ブロック１３との間に中間ブロック１３側に設けられた中ブロック１８と、中ブロック１８と端部ブロック１２との間に設けられた２つのサブフランジ１８ａとよりなる。
【００２６】
この中間ブロック１３と中ブロック１８との間には、一次巻線１６が巻回される。巻回される一次巻線１６は、励磁用の第一入力巻線１６ａと第二入力巻線１６ｂとで形成され、第一入力巻線１６ａには、不図示の電源回路から２Ｖ〜３Ｖ程度の入力信号が印加され、第二入力巻線１６ｂは、１２Ｖ〜２４Ｖの入力信号が印加される。また、第二入力巻線１６ｂと磁気的に結合された二次巻線１７は、中ブロック１８と端部ブロック１２との間に形成され入力信号を１０００Ｖ〜１２００Ｖまで昇圧する。
【００２７】
一次巻線１６の端末は、中間ブロック１３の間の両側に設けられた入力端子接続部１５の端子に絡げて半田付けされ接続される。また二次巻線１７の端末は、端部ブロック１２の底面に設けられた出力端子接続部１４の端子に絡げて半田付けされ接続される。
また中間ブロック１３間の底面には一次巻線の引き出しガイド２１が形成され、端部ブロック１２の底面には二次巻線の引き出し溝２２が形成されている。それらによって、巻線の巻き始めや巻き終わりの引き出し位置が定まり巻き乱れを防ぐようにしている。なお、コイルボビン１０は、電気的に絶縁性のある樹脂で一体成形されている。
【００２８】
そして、このコイルボビン１０には、Ｉ型コア５０が挿入される。Ｉ型コア５０は、両端部５２とその両端部５２の中間にある中央部５１を備え、長手方向に垂直な断面積が略同一の形状である。またＩ型コア５０の長手方向の長さは、コイルボビン１０の両端にある両端ブロック１２より均等に突出するように設計されている。コイルボビン１０の中空部１１にＩ型コア５０が挿入されると、コイルボビン１０の一部を切り欠いた空間部１９にＩ型コア５０の中央部５１が露出される。この中間ブロック１３の間にある空間部１９は、一方の一次巻線１６と二次巻線１７の組が高電圧不良になっても他方の一次巻線１６と二次巻線１７の組に影響しないような適切な距離を設けている。
【００２９】
そして、Ｉ型コア５０と磁気結合するように変形コの字型コア６０がコイルボビン１０の外周より接続される。変形コの字型コア６０は、中央平板部６３とこの中央平板部６３の端部にある両端磁脚６２と、この両端磁脚６２の中央にある中央磁脚６１とからなる。この両端磁脚６２の先端は、端部ブロック１２より突出したＩ型コア５０の両端部５２に突き合されて接続される。またこの中央磁脚６１の先端は、空間部１９に露出したＩ型コア５０の中央部５１に突き合されて接続される。なお、変形コの字型コア６０の中央磁脚６１の先端部は、Ｉ型コア５０に適切な空隙を設けて構成してもよい。
【００３０】
このような変形コの字型コア６０は、Ｉ型コア５０に対して磁気結合しながら２つの閉磁路に分ける。この２つの閉磁路は、図７に示すように漏洩磁路を有しない第一の閉磁路４０と第二の閉磁路４１からなる。すなわち、これらの閉磁路は、一次巻線側と二次巻線側との間にリーケージトランスで設けられているような漏洩磁束部を有しないものである。
そして第一の閉磁路４０の磁束の向きは、第二の閉磁路４１との磁束の向きと逆向きに形成されている。実際の構成では、コイルボビン１０に巻かれる一次巻線１６と二次巻線１７の全ての巻回方向をコイルボビン１０に対して同じとすると、入力される信号は一方を他方に対して位相を反転させて入力する。あるいは、入力される信号を同一位相とすれば、中間ブロック１３より左右に巻かれる同一の巻線構造の巻線は、一方が他方に比べ逆向きに巻回する。
【００３１】
コイルボビン１０には、巻回したコイルを保護するカバー７０を備えている。このカバー７０は、頂壁７１およびこの頂壁７１と一体に形成された側壁７２より成る略直方体であり、側壁７２の開口端の周囲には側壁より外方へ広がる鍔部７３を有している。この頂壁７１および頂壁７１と一体に構成された側壁の内周壁に囲まれる空間は、コイルボビン１０の巻線部分の形状より若干広い大きさとなっている。
【００３２】
またカバー７０は、互いに対向する一組の側壁に一つずつ、Ｉ型コア５０が挿入できる縦窓７４が設けられている。また、その一組の側壁とは別の側壁に、変形コの字型コア６０の中央磁脚６１を挿入できる横窓７５を設けている。このようなカバー７０にしたため、巻回したコイルボビン１０にカバー７０を被せてもＩ型コア５０と変形コの字型コア６０を組み込み磁気結合できる。また、このカバー７０を被せることによってコイルボビン１０に巻回したコイルの断線防止ができる。また、このカバー７０により二次巻線の出力端子接続部１４とコア間の電気的絶縁が確保できる。なお、このカバー７０は、電気的に絶縁性のある樹脂で一体成形されている。
【００３３】
ここでインバータトランス１の磁気的特性について説明する。図７は、第１の実施形態にかかわるインバータトランスの磁気構成図である。図７における各巻線は模式的に示したものであり、各巻線の巻線方向および巻回数はこれに限定されるものではない。
【００３４】
この磁気構成図は、コイルが巻回されたＩ型コア５０と磁気結合された変形コの字型コア６０とからなる。この磁気構成図において、２つの閉磁路が形成されている。第一の閉磁路４０は、一方の一次巻線１６と二次巻線１７の組に鎖交するＩ型コア５０と、このＩ型コア５０に磁気結合された変形コの字型コア６０の中央磁脚６１と一方の両端磁脚６２により形成される。第二の閉磁路４１は、他方の一次巻線１６と二次巻線１７の組に鎖交するＩ型コア５０と、このＩ型コア５０に磁気結合された変形コの字型コア６０の中央磁脚６１と他方の両端磁脚６２により形成される。そして、第一の閉磁路４０と第二の閉磁路４１は、隣接する他の閉磁路と互いにその一部を中央磁脚６１で共有している。
【００３５】
そして第一の閉磁路４０の磁束の向きは、第二の閉磁路４１との磁束の向きと逆向きに形成されている。例えば、図７において第一の閉磁路４０の向きを右向きとすると、第二の閉磁路４１の向きは左向きとするように形成される。そして、変形コの字型コア６０とＩ型コア５０において、これらが磁気結合して閉磁路を作る共有部分に対応する部分の断面積は、それ以外の部分の断面積の約２倍あるいはそれ以上としている。これは、変形コの字型コア６０の中央脚部６１の先端部の断面積が、中央平板部６３の断面積と、両端磁脚６２の断面積と、Ｉ型コア５０の長手方向と垂直な断面積と比べて約２倍あるいはそれ以上に形成している。このように形成すると、第一の閉磁路４０と第二の閉磁路４１の磁束が飽和することがなく、一つのインバータトランスで、独立した２つの磁路を形成できる。
【００３６】
このような構成のインバータトランス１について、以下にその組立て方を説明する。
コイルボビン１０を用意し、このコイルボビン１０に設けられた中間ブロック１３と中ブロック１８との間に一次巻線１６を巻回する。
【００３７】
次に、インバータトランス１の中ブロック１８と端部ブロック１２との間に二次巻線１７を巻回する。例えば、第一入力巻線１６ａは９ターン程度、第二入力巻線１６ｂは２３ターン程度、二次巻線１７は９００ターン程度巻回する。
【００３８】
コイルをコイルボビン１０に巻回したら、一次巻線１６の端末は、中間ブロック１３の間の両側に設けた入力端子接続部１５に絡げて半田付けする。また二次巻線１７の端末は、コイルボビン１０の長手方向に外向き突出した出力端子接続部１４に絡げて半田付けする。
【００３９】
次に、コイルボビン１０にカバー７０を被せる。カバー７０を被せられたコイルボビン１０の中空部１１にＩ型コア５０が挿入される。挿入されたＩ型コア５０は、その両端部５２がカバー７０（端部ブロック１２）からほぼ均一に突出するように配置する。
【００４０】
カバー７０より突出したＩ型コア５０の両端部５２が変形コの字型コア６０の両端磁脚６２の先端と接続される。またＩ型コア５０の中央部５１が変形コの字型コア６０の中央磁脚６１の先端と接続される。
【００４１】
このような変形コの字型コア６０は、コイルが巻回されたＩ型コア５０と磁気的に結合され第一の閉磁路４０と第二の閉磁路４１に分ける。その後、変形コの字型コア６０の中央平板部６３とＩ型コア５０の両端部５２の端面とカバー７０の側壁に絶縁テープを数回巻き付け、これによって変形コの字型コア６０とＩ型コア５０とカバー７０とコイルボビン７０が位置決めされインバータトランス１となる。
【００４２】
本実施形態のインバータトランスによれば、各閉磁路の巻線区間には、一次巻線と二次巻線の組がそれぞれ巻線されており、一つのインバータトランスにおいて、複数の隣り合う閉磁路が相殺されることなく独立して各トランスを駆動することができるため、二次巻線の出力によるランプ電流を一定に保ちつつ冷陰極ランプの輝度のバラツキを少なくすることができると共に、インバータの回路全体の部品点数を減らすことができる。また、各閉磁路は隣接する他の閉磁路と互いにその一部を共有しているため、閉磁路を構成するコアを小型化できる。
【００４３】
（第２の実施形態例）
図８は本発明の第２の実施形態にかかるインバータトランス１の磁気構成図である。
これらの図において第１の実施形態と同一構成部分には同一符号を付して重複する説明を省略する。
【００４４】
本実施形態において、第１の実施形態と異なる点は、Ｉ型コア５０に磁気結合してこの巻線区間を３個以上の閉磁路に分けるように、変形コの字型コア６０の中央平板部６３に両端磁脚６２に平行に延出した複数の中央磁脚６１を追加し、複数の閉磁路に分けられた巻線区間には、一次巻線１６と二次巻線１７の組がそれぞれ巻線され、任意の１つの閉磁路の磁束の向きはこの任意の閉磁路と隣り合う閉磁路の磁束の向きと逆向きに形成され、変形コの字型コア６０の中央磁脚６１の先端部の断面積は、Ｉ型コア５０の断面積の約２倍以上である、という点である。
【００４５】
図８においては、変形コの字型コア６０の中央平板部６３に両端磁脚６２に平行に延出した２個の中央磁脚６１を追加し、３個の閉磁路が形成される。そして第一の閉磁路４０の向きを右向きとすると、第二の閉磁路４１の向きは左向き、第三の閉磁路４２の向きは右向きとなるように磁路を形成する。
【００４６】
本実施形態のインバータトランスによれば、隣り合う第一の閉磁路４０と第二の閉磁路４１は相殺されることがなく、また隣り合う第二の閉磁路４１と第三の閉磁路４２は相殺することなく、一つのインバータトランス１で、独立した３つの閉磁路を形成でき、一層のインバータトランスの小型化とコストダウンができる。
なお、図８においては、変形コの字型コア６０の中央平板部６３に両端磁脚６２に平行に延出した２個の中央磁脚６１を設けたが、この中央磁脚６１は３個以上であっても同様の効果が得られる。
【００４７】
（第３の実施形態例）
図９は本発明の第３の実施形態にかかるインバータトランス１の磁気構成図である。
これらの図においてこの第１の実施形態と同一構成部分には同一符号を付して重複する説明を省略する。
【００４８】
本実施形態において、第１の実施形態と異なる点は、コイルを巻線する巻線区間が複数設けられた第一のコイルボビン（図示せず）と、コイルを巻線する巻線区間が複数設けられた第二のコイルボビン（図示せず）と、Ｈ型コアの中央平板部１２１に、Ｈ型コアの２つの端平板部１２２に平行に延出する２つ１組の中央磁脚部１２３を１組追加した変形Ｈ型コア１２０と、第一のコイルボビンに挿入され、端平板部１２２の一方の先端および中央磁脚部１２３の一方の先端に面した第一のＩ型コア１５０と、第一のＩ型コア１５０に磁気結合しながら変形Ｈ型コア１２０の一方の中央磁脚部１２３により巻線区間を分けられた第一の閉磁路１２４と第二の閉磁路１２５と、第二のコイルボビンに挿入され、端平板部１２２の他方の先端およびこの中央磁脚部１２３の他方の先端に面した第二のＩ型コア１６０と、第二のＩ型コア１６０に磁気結合しながら変形Ｈ型コア１２０の他方の中央磁脚部１２３により巻線区間を分けられた第三の閉磁路１２６と第四の閉磁路１２７と、第一の閉磁路１２２と第二の閉磁路１２５と第三の閉磁路１２６と第四の閉磁路１２７に分けられた巻線区間には、一次巻線１６と二次巻線１７の組がそれぞれ巻線され、任意の１つの閉磁路の磁束の向きはこの任意の閉磁路と隣り合う閉磁路の磁束の向きと逆向きに形成され、変形Ｈ型コア１２０の中央磁脚部１２３および中央平板部１２１の断面積は、第一のＩ型コア１５０と第二のＩ型コア１６０の断面積の約２倍以上である、という点である。
【００４９】
図９においては、Ｈ型コアの中央平板部１２１に２つの端平板部１２２に平行に延出する２つ１組の中央磁脚部１２３を１組追加し、４個の閉磁路が形成される。そして第一の閉磁路１２４の磁束の向きを右向きとすると、第二の閉磁路１２５の磁束の向きは左向き、第三の閉磁路１２６の磁束の向きは左向き、第四の閉磁路１２７の磁束の向きは右向きとなるように磁路を形成する。
【００５０】
本実施形態のインバータトランスによれば、第一の閉磁路１２４はこれと隣り合う第二の閉磁路１２５と第三の閉磁路１２６と相殺されることがなく、また第二の閉磁路１２５は、これと隣り合う第一の閉磁路１２４と第四の閉磁路１２７と相殺されることがなく、また第三の閉磁路１２６は、これと隣り合う第一の閉磁路１２４と第四の閉磁路１２７と相殺されることがなく、また第四の閉磁路１２７は、これと隣り合う第二の閉磁路１２５と第三の閉磁路１２６と相殺されることがない。よって、一つのインバータトランスで、独立した４つの閉磁路を形成でき、より一層のインバータトランスの小型化とコストダウンができる。
【００５１】
（第４の実施形態例）
図１０は本発明の第４の実施形態にかかるインバータトランス１の磁気構成図である。
この図において第３の実施形態と同一構成部分には同一符号を付して重複する説明を省略する。
本実施形態において、第３の実施形態と異なる点は、Ｈ型コアの中央平板部１２１に、Ｈ型コアの２つの端平板部１２２に平行に延出する２つ１組の中央磁脚部１２３を２組追加した変形Ｈ型コア１２０を用いている点である。これによりさらなるインバータトランスの小型化とコストダウンができる。図１０では、中央磁脚部１２３を端平板部１２２に平行に２組延出しているが、この中央磁脚部１２３を３組以上設けても同様の効果が得られる。
【００５２】
今まで述べたＩ型コアは、長手方向に垂直な断面積が略同一としている。このような構成にすると、このＩ型コアに流れる磁束の流れがより均一になり、冷陰極ランプの輝度のバラツキを少なくできる蛍光管を提供できる。
【００５３】
なお、Ｉ型コアの長手方向に垂直な断面形状は、本実施例では略四角形を使用したが、この断面形状は、任意の多角形、円、楕円等であってもよい。このＩ型コア５０の断面形状が円形あるいは楕円形であると、コイルボビン１０の中空部１１はＩ型コア５０に合わせた形状であるため、コイルボビン１０の中空部１１は円形あるいは楕円形に形成でき、それ合わせてコイルを巻回する部分が形成されるため、コイルの巻回作業が容易になり、作業時間の短縮ができる。なお、以上述べたＩ型コア、変形コの字型コア、変形Ｈ型コアの材質は、例えば、ニッケル系などのフェライト材でもよいし、金属系磁性材料などでもよい。
【００５４】
また、本発明は前述した実施形態例に限定されるものではなく、本発明の主旨を逸脱しない範囲において適宜変更して実施可能である。
【符号の説明】
【００５５】
１        インバータトランス
１０      コイルボビン
１１      中空部
１２      端部ブロック
１３      中間ブロック
１４      出力端子接続部
１５      入力端子接続部
１６      一次巻線
１６ａ    第一入力巻線
１６ｂ    第二入力巻線
１７      二次巻線
１８      中ブロック
１８ａ    サブフランジ
１９      空間部
２１      引き出しガイド
２２      引き出し溝
４０      第一の閉磁路
４１      第二の閉磁路
５０      Ｉ型コア
５１      中央部
５２      両端部
６０      変形コの字型コア
６１      中央磁脚
６２      両端磁脚
６３      中央平板部
７０      カバー
７１      頂壁
７２      側壁
７３      鍔部
７４      縦窓
７５      横窓
１２０    変形Ｈ型コア
１２１    中央平板部
１２２    端平板部
１２３    中央磁脚部
１２４    第一の閉磁路
１２５    第二の閉磁路
１２６    第三の閉磁路
１２７    第四の閉磁路
１２８    第五の閉磁路
１２９    第六の閉磁路
１５０    第一のＩ型コア
１６０    第二のＩ型コア
【図１】
2010157765.tif 000003
【図２】
2010157765.tif 000004
【図３】
2010157765.tif 000005
【図４】
2010157765.tif 000006
【図５】
2010157765.tif 000007
【図６】
2010157765.tif 000008
【図７】
2010157765.tif 000009
【図８】
2010157765.tif 000010
【図９】
2010157765.tif 000011
【図１０】
2010157765.tif 000012